(57)【要約】【課題】ホームネット環境において、安定した能力をもった配信装置を選択してＡＶデータを視聴できる記録装置を提供する。【解決手段】ビデオカメラ１０３は、記録されたＡＶデータを蓄積する蓄積部６０３と、ネットワーク１０５に接続されたＤＶＤレコーダ１０１を探索する機器管理部６０８と、発見されたＤＶＤレコーダ１０１がＡＶデータをダビング可能な機器かを判断するダビング可否判断部６０７と、ダビング可能と判断された場合、ＤＶＤレコーダ１０１に対して、蓄積したＡＶデータを無線で送信し、送信したＡＶデータをＤＶＤレコーダ１０１にダビングさせるダビング出力管理部６０６と、ダビング可能な他の機器が発見されなかった場合に、ＡＶデータをテレビ１０２に直接、無線で送信する再生出力管理部６０５とを備える。【選択図】図１
2012039454.tif 000002
【特許請求の範囲】
【請求項１】
ＡＶデータを記録し、ネットワークを介して接続された表示装置に対し、記録した前記ＡＶデータを送信する記録装置であって、
記録されたＡＶデータを蓄積する蓄積手段と、
前記ネットワークに接続された配信装置を探索する機器管理手段と、
前記探索の結果、発見された前記配信装置が、前記ＡＶデータをダビング可能な機器であるか否かを判断するダビング可否判断手段と、
発見された前記配信装置が、前記ＡＶデータをダビング可能な機器であると判断された場合、前記配信装置に対して、蓄積した前記ＡＶデータを無線で送信し、送信した前記ＡＶデータを前記配信装置にダビングさせるダビング出力管理手段と、
前記ネットワーク上で、前記ＡＶデータをダビング可能な他の機器が発見されなかった場合に、前記ＡＶデータを前記表示装置に直接、無線で送信する再生出力管理手段と
を備える記録装置。
【請求項２】
前記記録装置は、さらに、前記蓄積手段に蓄積されたＡＶデータの情報を一覧で示したＡＶデータ一覧を作成するＡＶデータ一覧管理手段を備え、
前記ＡＶデータ一覧管理手段は、前記ダビング出力管理手段がダビングを完了したＡＶデータの前記情報を、前記ＡＶデータ一覧から削除する
請求項１に記載の記録装置。
【請求項３】
前記ダビング出力管理手段は、ダビング済みのＡＶデータを前記配信装置から前記表示装置に有線で送信させる旨の指示を前記表示装置に通知する
請求項１又は請求項２に記載の記録装置。
【請求項４】
記録装置、配信装置及び表示装置を備えたデータ送受信システムであって、
前記記録装置は、
記録されたＡＶデータを蓄積する第１の蓄積手段と、
前記ネットワークに接続された配信装置を探索する機器管理手段と、
前記探索の結果、発見された前記配信装置が、前記ＡＶデータをダビング可能な機器であるか否かを判断するダビング可否判断手段と、
発見された前記配信装置が、前記ＡＶデータをダビング可能な機器であると判断された場合、前記配信装置に対して、蓄積した前記ＡＶデータを無線で送信し、送信した前記ＡＶデータを前記配信装置にダビングさせるダビング出力管理手段と、
前記ネットワーク上で、前記ＡＶデータをダビング可能な他の機器が発見されなかった場合に、前記ＡＶデータを前記表示装置に直接、無線で送信する第１の再生出力管理手段と
を備え、
前記配信装置は、
ＡＶデータを蓄積する第２の蓄積手段と、
前記記録装置から、ダビングするよう指示された前記ＡＶデータを有線或いは、無線で受信し、受信した前記ＡＶデータを前記第２の蓄積手段にダビングするダビング入力管理手段と、
前記表示装置に対して、前記第２の蓄積手段にダビングされている前記ＡＶデータを、有線で送信する第２の再生出力管理手段と
を備え、
前記表示装置は、
前記記録装置からＡＶデータを無線で受信し、前記配信装置からＡＶデータを有線で受信する再生入力管理手段と、
前記記録装置および前記配信装置のいずれかから受信した前記ＡＶデータを表示する表示手段と
を備えるデータ送受信システム。
【請求項５】
前記記録装置は、さらに、前記第１の蓄積手段に蓄積されたＡＶデータの情報を一覧で示した第１のＡＶデータ一覧を作成する第１のＡＶデータ一覧管理手段を備え、
前記第１のＡＶデータ一覧管理部は、前記ダビング出力管理手段がダビングを完了したＡＶデータの前記情報を、前記第１のＡＶデータ一覧から削除し、
前記配信装置は、さらに、前記第２の蓄積手段に蓄積されたＡＶデータの情報を一覧で示した第２のＡＶデータ一覧を作成する第２のＡＶデータ一覧管理手段を備え、
前記第２のＡＶデータ一覧管理部は、前記ダビング入力管理手段が前記第２の蓄積手段にダビングしたＡＶデータの前記情報を、前記第２のＡＶデータ一覧に追加し、
前記表示装置では、
前記再生入力管理手段は、
前記記録装置から前記第１のＡＶデータ一覧を、前記配信装置から前記第２のＡＶデータ一覧を受信し、
受信した前記第１のＡＶデータ一覧および前記第２のＡＶデータ一覧のいずれかを前記表示手段に表示させるとともに、
表示された前記第１または第２のＡＶデータ一覧の中から再生すべきＡＶデータの情報を選択する入力を、ユーザから受け付けて、
選択された前記ＡＶデータの情報が含まれている前記第１の又は第２のＡＶデータ一覧を送信した前記記録装置および配信装置のいずれかから、選択された前記情報で示されるＡＶデータを取得して、
取得した前記ＡＶデータを前記表示手段に表示させる
請求項４に記載のデータ送受信システム。
【請求項６】
記録されたＡＶデータを蓄積する蓄積手段を備え、ＡＶデータを記録し、ネットワークを介して接続された表示装置に対し、記録した前記ＡＶデータを送信する記録装置における記録方法であって、
前記ネットワークに接続された配信装置を探索する機器管理ステップと、
前記探索の結果、発見された前記配信装置が、前記ＡＶデータをダビング可能な機器であるか否かを判断するダビング可否判断ステップと、
発見された前記配信装置が、前記ＡＶデータをダビング可能な機器であると判断された場合、前記配信装置に対して、蓄積した前記ＡＶデータを無線で送信し、送信した前記ＡＶデータを前記配信装置にダビングさせるダビング出力管理ステップと、
前記ネットワーク上で、前記ＡＶデータをダビング可能な他の機器が発見されなかった場合に、前記ＡＶデータを前記表示装置に直接、無線で送信する再生出力管理ステップと
を含む記録方法。
【請求項７】
前記記録方法は、さらに、前記蓄積手段に蓄積されたＡＶデータの情報を一覧で示したＡＶデータ一覧を作成するＡＶデータ一覧管理ステップを含み、
前記ＡＶデータ一覧管理ステップでは、前記ダビング出力管理ステップにおいてダビングを完了したＡＶデータの前記情報を、前記ＡＶデータ一覧から削除する
請求項６に記載の記録方法。
【請求項８】
前記ダビング出力管理ステップで、ダビング済みのＡＶデータを前記配信装置から前記表示装置に有線で送信させる旨の指示を前記表示装置に通知する
請求項６又は請求項７に記載の記録方法。
【請求項９】
記録されたＡＶデータを蓄積する蓄積手段を備え、ＡＶデータを記録し、ネットワークを介して接続された表示装置に対し、記録した前記ＡＶデータを送信する記録装置のためのプログラムであって、
コンピュータを、請求項１に記載の記録装置に含まれる各手段として機能させるプログラム。
【発明の詳細な説明】
【技術分野】
【０００１】
本発明は、記録装置、記録方法及びデータ送受信システムに関し、特に、機器間でネットワークを介してデータ転送を行うための技術に関する。
【背景技術】
【０００２】
近年、ｘＤＳＬや光ファイバーなどのブロードバンド環境が整ったことにより、企業、一般家庭を問わず高速なインターネット接続環境が普及してきている。また、家庭内のＰＣ（Ｐｅｒｓｏｎａｌ  Ｃｏｍｐｕｔｅｒ）やデジタル家電機器をＥｔｈｅｒｎｅｔ（登録商標）や無線ＬＡＮなどで接続するホームネットワーク環境も一般化してきている。
【０００３】
そのため、インターネット接続環境やホームネットワーク環境にあるデジタル家電機器間やデジタル家電機器とＰＣとの間で様々なアプリケーションが実行できるようになることが望まれている。様々なアプリケーションとは、例えば、ＤＶＤ（Ｄｉｇｉｔａｌ  Ｖｅｒｓａｔｉｌｅ  Ｄｉｓｋ）レコーダに蓄積した映像音声データ（以下、ＡＶデータと記載）をＰＣに転送して視聴または編集するアプリケーションや、ＤＶＤレコーダに蓄積したＡＶデータを他のＤＶＤレコーダに転送（ダビング）するアプリケーションなどである。それにより、ユーザは、ＡＶデータの所在場所を意識することなく、自由にデータを扱える。
【０００４】
上記のようなアプリケーションを実現するために、ＤＬＮＡ（Ｄｉｇｉｔａｌ  Ｌｉｖｉｎｇ  Ｎｅｔｗｏｒｋ  Ａｌｌｉａｎｃｅ）によって、コンテンツの伝送の仕様（ＤＬＮＡガイドライン）が策定されたことで、当該仕様に対応した種々の機器が開発されている。
【０００５】
図１は、ネットワーク上の機器に蓄積されているＡＶデータを、ネットワーク上の他の装置において視聴するデータ送受信システムの概略構成を示した図である。同図に示すように、ルーター１０４を介して、宅内の複数の機器、例えば、ＤＶＤレコーダ１０１、テレビ１０２およびビデオカメラ１０３がインターネット１０５に接続されている。上記ＤＬＮＡガイドラインにおいては、例えば、居間に設置されたＤＶＤレコーダ１０１や、ＨＤＤ（Ｈａｒｄ  Ｄｉｓｋ  Ｄｒｉｖｅ）を搭載したムービーなどのビデオカメラ１０３の映像を、ルーター１０４を経由して接続された別室のテレビ１０２で視聴するといったことが可能になる。
【０００６】
ムービー等のモバイル機器の場合、携帯性を向上させるため、無線ＬＡＮ機能を搭載する場合が多い。無線ＬＡＮ機能は、移動しながらネットワーク機能が利用できるという利点がある。
【先行技術文献】
【特許文献】
【０００７】
【特許文献１】特開２００８−００５２５４号公報
【非特許文献】
【０００８】
【非特許文献１】ＤＬＮＡ  Ｎｅｔｗｏｒｋｅｄ  Ｄｅｖｉｃｅ  Ｉｎｔｅｒｏｐｅｒａｂｉｌｉｔｙ  Ｇｕｉｄｅｌｉｎｅｓ
【非特許文献２】ＵＰｎＰ  Ｄｅｖｉｃｅ  Ａｒｃｈｉｔｅｃｔｕｒｅ  １．０
【非特許文献３】ＵＰｎＰ  Ｃｏｎｔｅｎｔ  Ｄｉｒｅｃｔｏｒｙ：２  Ｓｅｒｖｉｃｅ  Ｔｅｍｐｌａｔｅ  Ｖｅｒｓｉｏｎ１．０１
【非特許文献４】ＲＦＣ２６１６  Ｈｙｐｅｒｔｅｘｔ  Ｔｒａｎｓｆｅｒ  Ｐｒｏｔｏｃｏｌ  −−  ＨＴＴＰ／１．１
【非特許文献５】ＲＦＣ７９１  ＩＮＴＥＲＮＥＴ  ＰＲＯＴＯＣＯＬ  ＤＡＲＰＡ  ＩＮＴＥＲＮＥＴ  ＰＲＯＧＲＡＭ  ＰＲＯＴＯＣＯＬ  ＳＰＥＣＩＦＩＣＡＴＩＯＮ
【発明の概要】
【発明が解決しようとする課題】
【０００９】
しかしながら、無線ＬＡＮ機能は、一方で、周囲の環境によっては通信路が不安定になり、十分な性能を確保できないといった問題が存在する。また、携帯用のビデオカメラなどでは、小型軽量化および低価格化を図るために、メモリからＡＶデータを読み出してネットワークに送出したり、メモリから読み出したＡＶデータをエンコード／デコードしたり、データ変換したりするためのＣＰＵの性能が低い場合が多い。そのため、ムービーに蓄積されたＡＶデータを、ネットワークを経由してテレビ等で視聴する場合、ビデオカメラのデータ送出速度、エンコード／デコード能力、データ変換能力などが、ＡＶデータのリアルタイム再生に追いつかずにコマ落としが発生したり、画像が途切れたりするといった問題が発生する。
【００１０】
このような問題に対し、例えば、有線ＬＡＮで接続されたＤＶＤレコーダに、ムービーで撮影したＡＶデータを移動し、前記ＤＶＤレコーダに蓄積されたＡＶデータを、テレビに配信し視聴することにより、無線よりも安定した環境でＡＶデータを視聴することが可能となる。
【００１１】
こういった問題に関連する技術として、下記特許文献１には、サーバ装置が、クライアント装置が再生可能なエンコード機能を持たない場合、クライアント装置が再生可能なエンコード機能を持つ別のサーバ装置にコンテンツを転送し、エンコードを行った上で、クライアント装置に送信する技術が公開されている。
【００１２】
ＡＶデータ伝送に関する技術の詳細は、非特許文献１、非特許文献２、非特許文献３、非特許文献４、及び非特許文献５に開示されている。
【００１３】
しかしながら、前記特許文献１に記載の技術においては、サーバ装置が動的に別のサーバ装置を探すことができないため、エンコード機能を持つ他のサーバ装置をユーザが手動で登録する必要があった。
【００１４】
そこで、本発明は、上記の問題点に鑑みてなされたものであり、無線ＬＡＮ接続されたビデオカメラなどの記録装置が自動的に、有線ＬＡＮを持つ、又は、ＣＰＵの処理能力の高い配信装置にＡＶデータを転送し、前記配信装置からテレビなどの表示装置に対してＡＶデータを配信することができる記録装置、記録方法及びデータ送受信システムを提供することを目的とする。
【課題を解決するための手段】
【００１５】
上記目的を達成するために、本発明の一形態である記録装置は、ＡＶデータを記録し、ネットワークを介して接続された表示装置に対し、記録した前記ＡＶデータを送信する記録装置であって、記録されたＡＶデータを蓄積する蓄積手段と、前記ネットワークに接続された配信装置及び表示装置を探索する機器管理手段と、前記探索の結果、発見された前記配信装置が、前記ＡＶデータをダビング可能な機器であるか否かを判断するダビング可否判断手段と、発見された前記配信装置が、前記ＡＶデータをダビング可能な機器であると判断された場合、前記配信装置に対して、蓄積した前記ＡＶデータを無線で送信し、送信した前記ＡＶデータを前記配信装置にダビングさせるダビング出力管理手段と、前記ネットワーク上で、前記ＡＶデータをダビング可能な他の機器が発見されなかった場合に、前記ＡＶデータを前記表示装置に直接、無線で送信する再生出力管理手段とを備える。
【００１６】
また、前記記録装置は、さらに、前記蓄積手段６０３に蓄積されたＡＶデータの情報を一覧で示したＡＶデータ一覧を作成するＡＶデータ一覧管理手段６０２を備え、前記ＡＶデータ一覧管理手段６０２は、前記ダビング出力管理手段６０６がダビングを完了したＡＶデータの前記情報を、前記ＡＶデータ一覧から削除するとしてもよい。
【００１７】
なお、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したり、そのプログラムを示す情報、データまたは信号として実現したりすることもできる。そして、それらプログラム、情報、データ及び信号は、ＣＤ−ＲＯＭ等の記録媒体やインターネット等の通信媒体を介して配信してもよい。
【発明の効果】
【００１８】
本発明によれば、ホームネット環境を経由して接続された３つの機器間で、簡単に安定したＡＶデータのダビングおよび再生が可能となる記録装置、表示装置及びデータ送受信システムを実現することができる。よって、デジタル家電機器間やデジタル家電機器と携帯端末の間を結ぶインターネット接続環境やホームネットワーク環境が一般化しつつある今日における本発明の実用的価値は極めて高い。
【図面の簡単な説明】
【００１９】
【図１】ネットワーク上の機器に蓄積されているＡＶデータを、ネットワーク上の他の装置において視聴するデータ送受信システムの概略構成を示した図である。
【図２】本発明の実施の形態のデータ送受信システムにおいて、ネットワーク上にＤＶＤレコーダが存在しない場合のビデオカメラとテレビとの間のデータの送受信の手順を示すシーケンス図である。
【図３】本発明の実施の形態におけるビデオカメラとＤＶＤレコーダとテレビとの間の通信手順を示すシーケンス図である。
【図４】本発明の実施の形態におけるビデオカメラが、ＤＶＤレコーダを検索する際のシーケンス図である。
【図５】ＤＬＮＡで規定されている機器の能力を表す情報の中で、当該機器がダビングに対応していることを示す情報を示す図である。
【図６】本発明の実施の形態におけるビデオカメラの構成を示すブロック図である。
【図７】本発明の実施の形態におけるＤＶＤレコーダの構成を示すブロック図である。
【図８】本発明の実施の形態におけるテレビの構成を示すブロック図である。
【図９】本発明の実施の形態におけるビデオカメラの撮影動作を説明するフローチャートである。
【図１０】本発明の実施の形態におけるビデオカメラがＤＶＤレコーダに対してＡＶデータをダビングする際の動作を説明するフローチャートである。
【図１１】本発明の実施の形態におけるビデオカメラ或いは、ＤＶＤレコーダがテレビに対してＡＶデータを送信する際の動作を説明するフローチャートである。
【図１２】本発明の実施の形態におけるＤＶＤレコーダが、ビデオカメラからＡＶデータをダビングする際の動作を説明するフローチャートである。
【図１３】本発明の実施の形態におけるテレビが、ビデオカメラ或いは、ＤＶＤレコーダからＡＶデータを受信し、表示する際の動作を説明するフローチャートである。
【発明を実施するための形態】
【００２０】
以下、本発明の実施の形態について、図面を参照しながら説明する。
【００２１】
本実施の形態では、宅内のテレビ１０２（表示装置）を利用して、ムービーなどのビデオカメラ１０３（記録装置）に蓄積されたＡＶデータを視聴する場合において、ビデオカメラ１０３のＡＶデータを転送可能なレコーダ機器、例えば、ＤＶＤレコーダ１０１（配信装置）がネットワーク上に存在しない場合、ビデオカメラ１０３自体がＡＶデータを配信し、ＡＶデータを安定して転送可能なレコーダ機器、例えば、ＤＶＤレコーダ１０１が存在する場合、前記ＤＶＤレコーダ１０１経由でＡＶデータを配信する方法に関して説明する。
【００２２】
最初に、本実施の形態のデータ送受信システムにおいて、ネットワーク上にＤＶＤレコーダ１０１が存在しない場合に、テレビ１０２が、ビデオカメラ１０３に蓄積されたＡＶデータを、ネットワーク経由で視聴する方法について説明する。尚、このような２つの装置間でのＡＶデータ視聴方法の詳細に関しては、非特許文献１、非特許文献２及び、非特許文献３に詳細な記載があるため、より詳しくはそちらを参照されたい。
【００２３】
図２は、本実施の形態のデータ送受信システムにおいて、ネットワーク上にＤＶＤレコーダ１０１が存在しない場合のビデオカメラ１０３と、テレビ１０２との間のデータの送受信の手順を示すシーケンス図である。
【００２４】
最初に、ユーザがテレビ１０２のメニュー画面から、ネットワーク上の記録装置（ビデオカメラ１０３）に蓄積されているＡＶデータを視聴するボタンを押すことなどにより、テレビ１０２は、ＵＰｎＰ（Ｕｎｉｖｅｒｓａｌ  Ｐｌｕｇ  ａｎｄ  Ｐｌａｙ、登録商標）を利用して、ネットワークに接続された記録装置（ビデオカメラ１０３）を探索する（Ｓ２０１）。
【００２５】
テレビ１０２は、ステップＳ２０１での機器発見の応答に含まれるデータから、発見した機器（ビデオカメラ１０３）がＡＶデータを配信可能なサーバ機器であるか否かを判断し、ビデオカメラ１０３がＡＶデータを配信可能なサーバ機器であると判断した場合、ビデオカメラ１０３からビデオカメラ１０３が蓄積しているＡＶデータの一覧を取得する（Ｓ２０２）。尚、ＵＰｎＰ（登録商標）技術を利用した機器発見方法及び、ＡＶデータを配信可能なサーバ機器の判断方法に関しては、非特許文献２に詳細な説明があるため、詳しくはそちらを参照されたい。また、ＡＶデータの一覧の取得方法の詳細に関しては、非特許文献３に詳細な記載があるため、そちらを参照されたい。
【００２６】
次に、テレビ１０２は、ビデオカメラ１０３から取得したＡＶデータ一覧の中からユーザの入力によりＡＶデータを選択し、ビデオカメラ１０３から選択したＡＶデータを取得し表示する（Ｓ２０３）。
【００２７】
図３は、本実施の形態の例における、ＤＶＤレコーダ１０１、ビデオカメラ１０３及びテレビ１０２間の通信手順を示すシーケンス図である。同図に示すシーケンスは、例えば、ビデオカメラ１０３がネットワークに接続されたときに開始する。
【００２８】
最初に、ビデオカメラ１０３は、ＵＰｎＰ（登録商標）技術を利用して、ビデオカメラ１０３が蓄積しているＡＶデータをダビング可能な配信装置（ＤＶＤレコーダ１０１）を探索する（Ｓ３０１）。
【００２９】
配信装置としてＤＶＤレコーダ１０１を発見した場合、ビデオカメラ１０３は、ＤＶＤレコーダ１０１の能力情報を確認し、ＤＶＤレコーダ１０１にＡＶデータをダビング可能か否か確認する（Ｓ３０２）。発見した配信装置（ＤＶＤレコーダ１０１）が持つ能力情報の確認方法の詳細に関しては、後述する。
【００３０】
ビデオカメラ１０３は、ネットワーク上にＡＶデータをダビング可能な配信装置を発見できなかった場合、図２で説明した方法と同様の方法を用いて、テレビ１０２に直接ＡＶデータを配信する（Ｓ３０３〜Ｓ３０５）。
【００３１】
ビデオカメラ１０３は、ネットワーク上にＡＶデータをダビング可能な配信装置（ＤＶＤレコーダ１０１）を発見できた場合、ステップＳ３０３〜Ｓ３０５の処理を行わず、配信装置（ＤＶＤレコーダ１０１）に対するＡＶデータのダビング処理（Ｓ３０６〜Ｓ３０７）を開始する。
【００３２】
最初に、ビデオカメラ１０３は、発見できたＤＶＤレコーダ１０１に対して、ＣｒｅａｔｅＯｂｊｅｃｔ要求を送信する（Ｓ３０６）。ＣｒｅａｔｅＯｂｊｅｃｔ要求は、ＵＰｎＰ（登録商標）で規定されており、ＡＶデータを相手機器にダビングする際に使用するものである。ＣｒｅａｔｅＯｂｊｅｃｔに関する詳細は、非特許文献３に詳細な記載があるため、そちらを参照されたい。
【００３３】
ビデオカメラ１０３は、ＤＶＤレコーダ１０１からＣｒｅａｔｅＯｂｊｅｃｔ要求に対する成功応答を受信すると、ＤＶＤレコーダ１０１に対して、ＡＶデータの送信を開始する（Ｓ３０７）。ＡＶデータの送信方法に関しては、非特許文献１に詳細な記載があるため、そちらを参照されたい。
【００３４】
ＡＶデータの送信が完了すると、ＤＶＤレコーダ１０１は、ビデオカメラ１０３から受信したＡＶデータを、蓄積部にダビングする。ＤＶＤレコーダ１０１は、ダビングが完了すると、ユーザの入力又はテレビ１０２のスイッチＯＮなどをトリガとして次のステップＳ３０８〜Ｓ３１０を実行することにより、ダビングしたＡＶデータをテレビ１０２に対して公開する。
【００３５】
これにより、テレビ１０２は、図２で説明した方法と同様の方法を用いて、ＤＶＤレコーダ１０１からＡＶデータを受信し、表示することが可能となる（Ｓ３０８〜Ｓ３１０）。
【００３６】
次に、記録装置（ビデオカメラ１０３）が、ネットワーク上にＡＶデータのダビングが可能な配信装置（ＤＶＤレコーダ１０１）が存在するか否かを確認し、ビデオカメラ１０３自身がＡＶデータを公開するか、配信装置にＡＶデータをダビングして、配信装置経由でＡＶデータを公開するかを判断する方法に関して説明する。
【００３７】
図４は、ビデオカメラ１０３が、配信装置（ＤＶＤレコーダ１０１）を探索する際の通信シーケンスを示した図である。本シーケンスは、図２におけるＳ２０１及び、図３におけるＳ３０１、Ｓ３０３に該当する処理を、詳細に記載したものである。
【００３８】
最初に、ビデオカメラ１０３は、Ｍ−ＳＥＡＲＣＨ要求を送信する（Ｓ４０１）。Ｍ−ＳＥＡＲＣＨ要求は、ネットワーク上の機器を探索するために送信するものであり、非特許文献２に詳細な記載があるため、そちらを参照されたい。Ｍ−ＳＥＡＲＣＨ要求に応答できる装置（ＤＶＤレコーダ１０１）は、Ｍ−ＳＥＡＲＣＨ要求を送信した装置（ビデオカメラ１０３）に対して、Ｍ−ＳＥＡＲＣＨ応答（Ｍ−ＳＥＲＣＨ．ｒｓｐ）を送信する（Ｓ４０２）。
【００３９】
Ｍ−ＳＥＡＲＣＨ応答を受信したビデオカメラ１０３は、前記Ｍ−ＳＥＡＲＣＨ応答を送信したＤＶＤレコーダ１０１から能力情報（Ｄｅｖｉｃｅ  Ｄｅｓｃｒｉｐｔｉｏｎ  Ｄｏｃｕｍｅｎｔ）を取得する（Ｓ４０３〜Ｓ４０４）。能力情報の取得方法及び、能力情報の内容の詳細に関しては、非特許文献１及び、非特許文献２に詳細な記載があるため、そちらを参照されたい。ビデオカメラ１０３は、取得した能力情報を解析することにより、ＤＶＤレコーダ１０１がＡＶデータのダビングに対応しているか否かを確認することが可能となる。
【００４０】
図５は、前記能力情報に含まれる、「ダビング機能に対応しているか否か」を示す情報の例である。＜ｄｌｎａ：Ｘ＿ＤＬＮＡＣＡＰ＞は、能力情報を示すタグであり、前記タグ内に含まれる「ａｖ−ｕｐｌｏａｄ」は、ＡＶデータのダビングに対応していることを示す値である。前記能力情報に関しては、非特許文献１に詳細な説明があるため、そちらを参照されたい。
【００４１】
ビデオカメラ１０３は、能力情報に前記「ａｖ−ｕｐｌｏａｄ」の値が含まれるか否かを確認し、含まれている場合は、ＤＶＤレコーダ１０１がＡＶデータをダビング可能な記録装置であると判断し、含まれていない場合、ＤＶＤレコーダ１０１がＡＶデータをダビング不可能な記録装置であると判断する。ここで、本実施の形態の例では、ＵＰｎＰ（登録商標）の能力情報を利用して、ＡＶデータのダビングが可能か否かを判断しているが、本発明は前記方法に限定されるものではなく、他の方法を用いて判断しても良い。
【００４２】
図６は、本発明の実施の形態におけるビデオカメラ１０３の構成を示すブロック図である。
【００４３】
ビデオカメラ１０３は、通信部６０１と、ＡＶデータ一覧管理部６０２と、蓄積部６０３と、撮像部６０４と、再生出力管理部６０５と、ダビング出力管理部６０６と、ダビング可否判断部６０７と、機器管理部６０８とを備える。
【００４４】
通信部６０１は、ネットワークを介して、配信装置（ＤＶＤレコーダ１０１）または表示装置（テレビ１０２）に対して、ＡＶデータを送信或いは受信するものである。通信部６０１は、無線／有線どちらの形態であっても良い。
【００４５】
ＡＶデータ一覧管理部６０２は、ビデオカメラ１０３の蓄積部６０３に記録されているＡＶデータの一覧を作成すると共に、表示装置（テレビ１０２）からの要求に応じて、前記ＡＶデータの一覧を送信するものである。ＡＶデータの一覧は、ＡＶデータを撮影した際に作成し、蓄積部６０３に蓄積するようにしても良いし、配信装置から要求があった際に、逐次に作成するようにしても良い。ＡＶデータ一覧は、例えば、データ名、撮影日時、撮影時間、映像品質等で構成される。
【００４６】
蓄積部６０３は、撮影したＡＶデータ及び、ＡＶデータ一覧情報を記録するメモリである。蓄積部６０３は、例えばＨＤＤや、ＤＶＤ、ＢＤ（Ｂｌｕ−ｒａｙ  Ｄｉｓｋ）、メモリカードなどで構成される。
【００４７】
撮像部６０４は、映像を撮影し、記録可能な形式のＡＶデータに変換するものである。前記変換処理の詳細に関しては、本願発明の内容と関係ないため、詳述しない。
【００４８】
再生出力管理部６０５は、蓄積部６０３に記録されたＡＶデータを、表示装置（テレビ１０２）に対して送信するものである。
【００４９】
ダビング出力管理部６０６は、蓄積部６０３に記録されたＡＶデータを、後述のダビング可否判断部６０７がダビング可能であると判断した配信装置に対して送信するものである。また、ＡＶデータ送信後は、ＡＶデータ一覧管理部６０２が管理するＡＶデータ一覧から、送信済みのＡＶデータの情報を削除する。
【００５０】
ダビング可否判断部６０７は、配信装置から取得した能力情報に基づいて、前記記録装置がダビング可能か否かを判断する。
【００５１】
機器管理部６０８は、ネットワーク上に存在する配信装置を探索する。
【００５２】
図７は、本実施の形態におけるＤＶＤレコーダ１０１の構成を示すブロック図である。ＤＶＤレコーダ１０１は、通信部７０１と、ＡＶデータ一覧管理部７０２と、蓄積部７０３と、再生出力管理部７０４と、ダビング入力管理部７０５とを備える。
【００５３】
ＡＶデータ一覧管理部７０２と、蓄積部７０３と、再生出力管理部７０４とは、ビデオカメラ１０３で説明した構成と同様のため、説明を割愛する。
【００５４】
通信部７０１は、蓄積部７０３に蓄積したＡＶデータを、ネットワークを介して、記録装置（ビデオカメラ１０３）または表示装置（テレビ１０２）に送受信する。ただし、蓄積しているＡＶデータをテレビ１０２に表示させる場合には、表示させたいＡＶデータを有線で送信する。
【００５５】
ダビング入力管理部７０５は、通信部７０１を介して、ビデオカメラ１０３からＡＶデータを受信し、蓄積部７０３に記録するものである。また、ＡＶデータ受信後は、ＡＶデータ一覧管理部７０２が管理するＡＶデータ一覧に、前記受信したＡＶデータの情報を追加する。
【００５６】
図８は、本実施の形態におけるテレビ１０２の構成を示すブロック図である。テレビ１０２は、通信部８０１と、機器管理部８０２と、再生入力管理部８０３と、表示部８０４とを備える。
【００５７】
通信部８０１及び機器管理部８０２は、ＤＶＤレコーダ１０１で説明した構成と同様のため、説明を割愛する。
【００５８】
再生入力管理部８０３は、ビデオカメラ１０３からＡＶデータを受信し、デコード処理を行うものである。デコード処理の詳細に関しては、本出願特許の内容と関係ないため、詳述しない。
【００５９】
表示部８０４は、再生入力管理部８０３がデコードした映像を表示するものである。
【００６０】
次に、本発明の実施の形態におけるＤＶＤレコーダ１０１、テレビ１０２及び、ビデオカメラ１０３の動作について説明する。
【００６１】
図９は、本発明の実施の形態におけるビデオカメラ１０３の撮影処理を説明するフローチャートである。
【００６２】
最初に、ビデオカメラ１０３における撮像部６０４は、映像の撮影を開始する（Ｓ９０１）。撮影された映像は、蓄積部６０３に記録される（Ｓ９０２）。映像の撮影が終了すると、ＡＶデータ一覧管理部６０２は、撮影した映像に関する情報をＡＶデータ一覧に追加する（Ｓ９０３）。
【００６３】
図１０は、本発明の実施の形態におけるビデオカメラ１０３のダビング処理を説明するフローチャートである。
【００６４】
最初に、ビデオカメラ１０３における機器管理部６０８は、内蔵のタイマーを起動し、ネットワークに接続された配信装置の探索を開始する（Ｓ１００１）。
【００６５】
機器管理部６０８は、配信装置から機器発見応答を受信するための待機状態となる。機器管理部６０８は、通信部６０１で機器発見要求に対する応答が受信されたか否かを判断し（Ｓ１００２）、応答が受信された場合には配信装置が存在する、すなわち、機器を発見したと判断する（Ｓ１００３）。応答が受信されていない場合には、タイムアウトが発生したか否かを判断し（Ｓ１００４）、タイムアウトが発生した場合には処理を終了する。タイムアウトが発生していない場合には、ステップＳ１００２の処理に戻り、タイムアウトがするまで、ステップＳ１００２での応答受信待ちを継続する。
【００６６】
すなわち、機器管理部６０８は、配信装置（ＤＶＤレコーダ１０１）が存在した場合、ＤＶＤレコーダ１０１からの応答を受信し、ＤＶＤレコーダ１０１の能力情報を取得する。ＤＶＤレコーダ１０１から応答を受信しない場合、タイムアウト発生後、処理を終了する（Ｓ１００１〜Ｓ１００４）。
【００６７】
配信装置（ＤＶＤレコーダ１０１）が存在した場合、すなわち、ステップＳ１００３において機器を発見した場合、ダビング可否判断部６０７は、前記機器管理部６０８がＤＶＤレコーダ１０１から受信した能力情報を解析し（Ｓ１００５）、ダビング可能か否かを判断する（Ｓ１００６）。ＤＶＤレコーダ１０１がダビング不可能だった場合、ステップＳ１００２に戻って機器発見要求応答の受信待ちを継続するかまたは処理を終了する。
【００６８】
ＤＶＤレコーダ１０１がダビング可能であった場合、ダビング出力管理部６０６は、ＤＶＤレコーダ１０１に対して、ＡＶデータの送信を開始する（Ｓ１００７）。ＡＶデータの送信が完了すると、ＡＶデータ一覧管理部６０２は、蓄積部６０３に蓄積しているＡＶデータ一覧からダビング完了したＡＶデータの情報を削除する（Ｓ１００８）。これにより、ダビング完了したＡＶデータの情報は、ＤＶＤレコーダ１０１から受信したＡＶデータ一覧のみに表示され、ＤＶＤレコーダ１０１からのみ受信可能となるため、ユーザが誤ることなく有線接続したＤＶＤレコーダ１０１から前記ＡＶデータを受信することが可能となる。
【００６９】
図１１は、本発明の実施の形態におけるビデオカメラ１０３のＡＶデータ送信処理を説明するフローチャートである。ビデオカメラ１０３は、テレビ１０２からの要求に応じて、蓄積したＡＶデータを送信する。
【００７０】
最初に、通信部６０１は、他の機器（テレビ１０２）から受信した機器発見要求に応答する（Ｓ１１０１）。次に、ＡＶデータ一覧管理部６０２は、テレビ１０２からの要求に応じて、ＡＶデータ一覧をテレビ１０２に対して送信する（Ｓ１１０２）。次に、再生出力管理部６０５は、テレビ１０２からＡＶデータの送信要求があったか否かを判断し（Ｓ１１０３）、テレビ１０２からＡＶデータ送信要求があった場合、前記送信したＡＶデータ一覧に基づいてテレビ１０２が選択したＡＶデータを、テレビ１０２に対して送信する（Ｓ１１０４）。再生出力管理部６０５は、ステップＳ１１０３において、テレビ１０２からＡＶデータ送信要求がなかった場合、処理を終了する。
【００７１】
図１２は、本発明の実施の形態におけるＤＶＤレコーダ１０１のダビング処理を説明するフローチャートである。ＤＶＤレコーダ１０１は、ビデオカメラ１０３からのダビング要求に従って、前記ビデオカメラ１０３に蓄積されたＡＶデータを受信し、蓄積する。
【００７２】
最初に、通信部７０１は、他の機器（ビデオカメラ１０３）からの機器発見要求を受信し、応答を送信する（Ｓ１２０１）。次に、ダビング入力管理部７０５は、ビデオカメラ１０３からＡＶデータを受信する（Ｓ１２０２）。蓄積部７０３は、前記ダビング入力管理部７０５が通信部７０１を介して受信したＡＶデータを蓄積する（Ｓ１２０３）。ビデオカメラ１０３からＡＶデータの受信が完了すると、ＡＶデータ一覧管理部７０２は、前記受信したＡＶデータの情報をＡＶデータ一覧に追加する（Ｓ１２０４）。
【００７３】
図１３は、本発明の実施の形態におけるテレビ１０２のＡＶデータ表示処理を説明するフローチャートである。
【００７４】
最初に、テレビ１０２は、メニュー画面を表示し、ユーザによってネットワーク上の記録装置に蓄積されているＡＶデータを再生する指示が選択されたか否かを判断し（Ｓ１３０１）、ネットワーク上のＡＶデータを再生する指示が選択された場合には、テレビ１０２における機器管理部８０２は、ネットワークに接続された記録装置の探索を開始する（Ｓ１３０２）。ステップＳ１３０１において、ネットワーク上のＡＶデータを再生する指示が選択されなかった場合、テレビ１０２は、指示が選択されるまで待機するか、または処理を終了する。
【００７５】
次に、テレビ１０２は、ネットワークに接続されているＤＶＤレコーダ１０１及びビデオカメラ１０３からＡＶデータ一覧を取得して表示部８０４に表示し、ユーザの入力に従って、再生するＡＶデータを選択する。ビデオカメラ１０３が撮影したＡＶデータが、既にＤＶＤレコーダ１０１にダビングされている場合、ダビング済みのビデオカメラ１０３のＡＶデータの情報は、前記ビデオカメラ１０３のＡＶデータ一覧から削除されている。そのため、ユーザは誤ることなく、ＤＶＤレコーダ１０１にダビングされたＡＶデータを選択することが可能となる。
【００７６】
最初に、表示部８０４に表示したメニュー画面で、ネットワーク上のＡＶデータを再生する指示が選択された場合（Ｓ１３０１）、機器管理部８０２は、内蔵のタイマーを起動し、ネットワークに接続された記録装置（ビデオカメラ１０３およびＤＶＤレコーダ１０１）の探索を開始する（Ｓ１３０２）。機器管理部８０２は、記録装置から機器発見応答を受信するための待機状態となる。機器管理部８０２は、通信部８０１で機器発見要求に対する応答が受信されたか否かを判断し（Ｓ１３０３）、記録装置からの応答を受信した場合、ネットワークに接続された機器を発見したと判断する（Ｓ１３０５）。機器発見要求に対する応答を送信した記録装置からその能力情報を取得する（Ｓ１３０６）。記録装置から応答を受信しない場合、タイムアウトが発生したか否かを判断し（Ｓ１３０４）、タイムアウトが発生した場合には処理を終了する。タイムアウトが発生していない場合には、Ｓ１３０３の処理に戻り、タイムアウトが発生するまで、Ｓ１３０３およびＳ１３０４での判断を繰り返すことにより、記録装置からの応答受信待ち状態を継続する。
【００７７】
機器を発見すると（Ｓ１３０５）、再生入力管理部８０３は、発見したすべての記録装置（ビデオカメラ１０３およびＤＶＤレコーダ１０１）からＡＶデータ一覧を取得する（Ｓ１３０７）。表示部８０４は、前記受信したＡＶデータの一覧を表示する（Ｓ１３０８）。ビデオカメラ１０３が撮影したＡＶデータが、既にＤＶＤレコーダ１０１にダビングされている場合、前記ＡＶデータの情報は、ＤＶＤレコーダ１０１のＡＶデータ一覧に表示される。また、ＡＶデータがダビングされていない場合、前記ＡＶデータの情報は、ビデオカメラ１０３のＡＶデータ一覧に表示される。尚、表示部８０４は、ＤＶＤレコーダ１０１及びビデオカメラ１０３から受信したＡＶデータ一覧を全て表示するように構成しても、装置毎にＡＶデータ一覧を分けて表示するように構成しても良い。
【００７８】
次に、再生入力管理部８０３は、表示部８０４に表示したＡＶデータ一覧の中からＡＶデータが選択されたか否かを判断し（Ｓ１３０９）、表示したＡＶデータ一覧のうち、ＤＶＤレコーダ１０１から受信したＡＶデータ一覧からＡＶデータが選択された場合、ＤＶＤレコーダ１０１からＡＶデータを受信する（Ｓ１３１０）。表示部８０４は、前記受信したＡＶデータを表示する（Ｓ１３１１）。ここで、ビデオカメラ１０３内のＡＶデータで、すでにＤＶＤレコーダ１０１にダビング済みのＡＶデータの情報は、ビデオカメラ１０３のＡＶデータ一覧からは削除され、ＤＶＤレコーダ１０１のＡＶデータ一覧に記載されている。従って、ユーザは、ビデオカメラ１０３がネットワークに接続されたときに実行されるダビング処理（図３のステップＳ３０７）で、ビデオカメラ１０３内のＡＶデータをＤＶＤレコーダ１０１にダビングしておくことにより、再生時には、ＤＶＤレコーダ１０１から有線による通信路を介して、安定したＡＶデータの再生を行うことができる。
【００７９】
ステップＳ１３０９において、ＡＶデータが選択されないままタイムアウトした場合には、再生入力管理部８０３は、処理を終了する。
【００８０】
なお、上記のステップＳ１３０８およびステップＳ１３０９において、ネットワーク上のビデオカメラ１０３から取得されたＡＶデータ一覧からＡＶデータが選択され、その再生が指示された場合には、さらに、ビデオカメラ１０３が図３に示したシーケンスを開始して選択されたＡＶデータをＤＶＤレコーダ１０１にダビングし、その後、テレビ１０２がＤＶＤレコーダ１０１からＡＶデータを受信するようにしてもよい。
【００８１】
なお、上記実施の形態において、機器管理部６０８によって、ネットワーク上に複数の機器が発見された場合、ダビング可否判断部６０７は、機器発見の応答に含まれる機器ＩＤなどのデータから、発見された機器のうち、最も高機能な機器を選択してダビングの可否を判定するとしてもよい。
【００８２】
また、上記実施の形態において、図３のシーケンスは、ビデオカメラ１０３がネットワークに接続されたときに開始すると説明したが、本発明はこれに限定されず、テレビ１０２からの、再生指示とは異なる別の命令により、ダビング指示を受け付け、図３のシーケンスを開始するとしてもよい。これによって、ユーザは、ビデオカメラ１０３に蓄積されているＡＶデータを、任意のタイミングでＤＶＤレコーダ１０１にダビングしておくことができるという効果がある。
【００８３】
以上のように、本発明の実施の形態によれば、携帯型ビデオカメラなどの記録装置が、ネットワークに接続されているより性能の高い配信装置を発見した場合、前記配信装置の機能を利用して、ＡＶデータを配信できる記録装置、表示装置及びデータ送受信システムを実現することができる。
【００８４】
なお、上記実施の形態では、記録装置としてビデオカメラを例にとって説明したが、本発明はこれに限定されず、記録装置はデジタルカメラ、携帯型音楽プレーヤ、携帯電話機などであってもよい。また、配信装置としてＤＶＤレコーダを例にとって説明したが、本発明はこれに限定されず、配信装置はＨＤＤレコーダ、パソコンなどであってもよい。
【００８５】
また、図２では、テレビ１０２へのユーザの操作により、テレビ１０２から機器発見要求が送信される場合について説明したが、機器発見要求が送信されるのはテレビ１０２側からだけでなく、ビデオカメラ１０３からであるとしてもよい。例えば、ユーザがビデオカメラ１０３を操作して、ビデオカメラ１０３内に蓄積されているＡＶデータをネットワーク上の表示装置（テレビ１０２）で再生することを指示した場合に、このシーケンスを開始するとしてもよい。
【００８６】
以上、本発明の記録装置、テレビ及びデータ送受信システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８７】
本発明は、ネットワークに接続される任意の機器間でＡＶデータを送信または転送する記録装置、テレビ及びデータ送受信システムに利用することができ、特にムービー等のＡＶデータを蓄積可能なモバイル型の記録装置に利用することができる。すなわち、本発明は、安定したデータの配信が要求されるＡＶデータなどを、ネットワークを介して他の機器に配信する携帯型のビデオカメラ、オーディオプレーヤ、携帯電話機などとして有用である。
【符号の説明】
【００８８】
１０１  ＤＶＤレコーダ
１０２  テレビ
１０３  ビデオカメラ
１０４  ルーター
１０５  インターネット
６０１、７０１、８０１  通信部
６０２、７０２  ＡＶデータ一覧管理部
６０３、７０３  蓄積部
６０４  撮像部
６０５、７０４  再生出力管理部
６０６  ダビング出力管理部
６０７  ダビング可否判断部
６０８、８０２  機器管理部
７０５  ダビング入力管理部
８０３  再生入力管理部
８０４  表示部
【図１】
2012039454.tif 000003
【図２】
2012039454.tif 000004
【図３】
2012039454.tif 000005
【図４】
2012039454.tif 000006
【図５】
2012039454.tif 000007
【図６】
2012039454.tif 000008
【図７】
2012039454.tif 000009
【図８】
2012039454.tif 000010
【図９】
2012039454.tif 000011
【図１０】
2012039454.tif 000012
【図１１】
2012039454.tif 000013
【図１２】
2012039454.tif 000014
【図１３】
2012039454.tif 000015